Podtech/llm-jp-corpus-v4-ja_patent huggingface dataset:
(57)【要約】【目的】本発明は防滴型バックミラーを提供する。【構成】本発明はバックミラー鏡面とバックミラー鏡面上部に設けた庇によって構成する。【選択図】  図１
2005186914.tif 000002
【特許請求の範囲】
【請求項１】
鏡面と鏡面上部に設けた庇によって構成することを特徴とするバックミラー。
【請求項２】
長方形状の防滴シート板とその防滴シート板長辺部に設けた接着部によって構成する簡易型バックミラー防滴庇。
【発明の詳細な説明】
【発明の詳細な説明】
【産業上の利用分野】
【０００１】  本発明は妨滴型バックミラーに関する。
【背景技術】
【０００２】  従来、バックミラーの鏡面に付着してバックミラー鏡面を濡らす雨滴は、バックミラー本来の目的である後方視界の確保を不全にし、雨天時の車両の走行を著しく危険にするものであった。このバックミラー鏡面に付着する雨滴を防止するために、従来の技術としてはバックミラー鏡面に雨滴を弾く疎水性コーティング剤を塗布する方法やバックミラー鏡面の水滴を拭くミニワイパーを取り付ける方法などがあった。しかしながら水滴を弾くコーティング剤の塗布では激しい雨の時に役に立たず、またコーティングのみで完全に雨滴を弾く性能には至らず、また寿命も短命で何度も塗り直す必要があった。一方、ミニワイパーでは構造が複雑になり、しかもバックミラー鏡面の一部しか拭き取れず安全な後方視界の確保は困難であった。
【発明が解決しようとする課題】
【０００３】  本発明は、上記従来技術の欠点を解決するものであり、雨天走行時でもバックミラーの後方視界を十分安全に確保できるものである。
【課題を解決する手段】
【０００４】  本発明は、バックミラー鏡面１と、バックミラー鏡面１上部に突き出して設けた庇３によって上記課題を解決する。バックミラー鏡面１上部に設けた庇３は、空から降ってくる雨滴を遮りバックミラー鏡面１に雨滴がかかるのを常に防止する。また、すでに市場に出回っている車のバックミラーに対しては、防滴シート板４で作った簡易庇６を既存のバックミラーに取り付ける方法で妨滴を実現する。
【０００５】  簡易庇６は長方形状の可撓性シート板とそのシート板長辺部の一辺に両面接着テープなとで接着剤付接着部５を設けたシート板である。そのシート板を、既存のバックミラー鏡面上部に庇をつけるような形で設置することにより簡単に簡易庇６を実現する。
【作用】
【０００６】  バックミラーの視界を確保するには、雨天時の雨をバックミラー鏡面１に付着させないことが最も効果的である。本発明防滴型バックミラーは、バックミラー鏡面１への雨滴付着を防止するために鏡面上部に突き出た庇３を設け、雨滴が直接バックミラー鏡面１に当たるのを防止するものである。本発明においては、降ってくる雨滴はバックミラー鏡面１上部に設けた庇３によりバックミラー鏡面１を全く直撃しない。つまりハウジング２と一体化している庇３によりバックミラー鏡面１を雨滴から保護し、雨滴の流入による鏡面の濡れを常に防止するものである。既存の車のバックミラーに対しては簡易庇６の取り付けによって同等の効果を得ることができる。
【実施例】
【０００７】  図１は本発明防滴型バックミラーの実施例である。図１に示す通り本発明は、庇３を兼用するハウジング２上部がバックミラー鏡面１の上部を覆って、雨滴のバックミラー鏡面１への直撃と付着を防止する。つまりバックミラー鏡面１をハウジング２の奥部に設置することにより、ハウジング２上部がバックミラー鏡面１への庇３となり、バックミラー鏡面１を雨滴から保護し濡らさないようにする。【０００８】  また既存の車のバックミラーに対しては図２に示す簡易庇を、図３のように既存の車のバックミラーに接着剤付接着面５によって取り付けることにより防滴を実現する。
【本発明の効果】
【０００９】  本発明防滴型バックミラーは、バックミラー鏡面１上部に突き出た庇３によりバックミラー鏡面１を雨滴から守り、激しい雨のときでも良好な後方視界を確保する。また本発明のバックミラー鏡面１はハウジングの奥部に設置された形となるので、従来のバックミラーとほぼ同等の容積空間しか必要としない。また簡易庇６は簡単な構造であり、防滴シート板４を接着剤付接着面５により既存のバックミラーに容易に取り付けることができ、既存のバックミラー鏡面１を簡単に防滴化できる。
【図面の簡単な説明】
【００１０】
【図１】  本発明の斜視図
【図２】  簡易庇
【図３】  簡易庇を取り付けた既存のバックミラー
【符号の説明】
【００１１】１    バックミラー
２    ハウジング
３    庇
４    防滴シート板
５    接着剤付接着面
６    簡易庇
【図１】
2005186914.tif 000003
【図２】
2005186914.tif 000004
【図３】
2005186914.tif 000005
(57)【要約】【目的】従来の自転車・二輪車は前後に子供を乗せる事が出来るような籠を付ける事は簡単であったが、このような籠を付けウッカリ子供を乗せたまま駐車して自転車が転倒、子供が死亡・怪我の事故が毎年多発している。又女性・老人が重い荷物を積み走行中転倒する事故も増えている。のような駐車中、走行中の転倒事故を防止せんとするものである。【構成】先ず駐車中の転倒事故防止手段の一つとして陪乗者席や荷物籠がスイッチやレバーで簡単に上下し、子供や荷物を地面に積み降ろし出来る装置、又左右に突き出る棒状等の補助スタンド、或いは補助車輪による、簡単低費用な転倒防止装置を考えた。【特許請求の範囲】
【請求項１】
自転車又はその他の二輪車類の、後部又は前部の、荷台又は荷物籠又は陪乗者用座席又はその他の人・物を乗せる部分が、適宜な起動方法によって可動し、地表付近に降りて来る、そして又適宜な起動方法によって可動し、地表付近に降りて来ていた後部又は前部の、荷台又は荷物籠又は陪乗者用座席又はその他の人・物を乗せる部分が、元の位置に戻る、そのような構造の自転車又はその他の二輪車類。
【請求項２】
自転車又はその他の二輪車類の、既に販売又は製作されているものに取り付ける、請求項１の如く可動する、荷台又は荷物籠又は陪乗者用座席又はその他の人・物を乗せる部分の、装置セット。
【請求項３】
自転車又はその他の二輪車類の、適宜な部分に支点を持ち、それら車両の左右両側に突き出す形状で取付けられる補助スタンド。又はそのような補助スタンドを付けた自転車又はその他の二輪車類。
【請求項４】
大人用自転車又はその他の二輪車類の、適宜な部分に支点を持ち、それら車両の左右両側に突き出す形状で取付けられる補助車輪。又はそのような補助車輪が付いた自転車又はその他の二輪車類。
【請求項５】
請求項４の補助車輪に適宜な滑走防止装置が付いた物。
【発明の詳細な説明】
【発明の詳細な説明】
【産業上の利用分野】
【０００１】自転車業界及び二輪車業界
【背景技術】
【０００２】従来の自転車・二輪車は前後に子供を乗せる事が出来るような籠を付ける事は簡単であったが、このような籠を付けウッカリ子供を乗せたまま駐車して自転車が転倒、子供が死亡・怪我の事故が毎年多発している。又女性・老人が重い荷物を積み走行中転倒する事故も増えている。
【発明が解決しようとする課題】
【０００３】前項のような駐車中、走行中の転倒事故を防止せんとするものである。
【解決するための手段】
【０００４】先ず駐車中の転倒事故防止手段の一つとして陪乗者席や荷物籠がスイッチやレバーで簡単に上下し、子供や荷物を地面に積み降ろし出来る装置を考えた。又左右に突き出る棒状等の補助スタンド・補助車輪による、簡単低費用の転倒防止装置を考えた。
【作用１】
【０００５】以上の装置を付けキチンと作動させれば、駐車中・走行中の転倒事故は、他の大型車両の引っ掛け、悪意の押し転がし等以外は殆ど防止出来る。
【作用２】
【０００６】これにより年間５０００件以上と言われる自転車・二輪車の転倒負傷事故は、激減するであろう。
【手続補正書】
【提出日】平成16年2月27日(2004.2.27)
【手続補正１】
【補正対象書類名】特許請求の範囲
【補正対象項目名】全文
【補正方法】変更
【補正の内容】
【書類名】特許請求の範囲    【請求項１】  自転車又はその他の二輪車類の、後部又は前部の、荷台又は荷物籠又は陪乗者用座席又はその他の人・物を乗せる部分が、モーター又はエンジン又は電気エンジン又は油圧又は空気力又はチェーン又は滑車又はギヤ又は人力又はその他の適宜な駆動方法又はそれらの組み合わせによって駆動し、地表付近に降りて来る、そして又モーター又はエンジン又は電気エンジン又は油圧又は空気力又はチェーン又は滑車又はギヤ又は人力又はその他の適宜な駆動方法又はそれらの組み合わせによって駆動し、地表付近に降りて来ていた後部又は前部の、荷台又は荷物籠又は陪乗者用座席又はその他の人・物を乗せる部分が元の位置に戻る、そのような構造の自転車又はその他の二輪車類。    【請求項２】  自転車又はその他の二輪車類の、既に販売済み又は製作済みのものに、取り付ける事が出来る、請求項１の如く駆動する、荷台又は荷物籠又は陪乗者用座席又はその他の人・物を乗せる部分、の装置のセット。
(57)【要約】【課題】  ボルトを締め込むことによりサスペンションの内部部品を押さえたまま維持し、容易に分解、組み立てができることを特徴とした自動二輪車用サスペンション分解、組み立て工具【解決手段】  サスペンション本体（９）を押さえ棒（７）と内部部品支持凹部（４）で上下から挟み込み、サスペンション内部部品（８）を締め付けボルト（１）を締め込むことにより押さえ込み、押さえたまま維持し分解、組み立てをする。【選択図】  図１
2005186916.tif 000002
【特許請求の範囲】
【請求項１】
ボルトを締め込むことによりサスペンションの内部部品を押さえたまま維持し、容易に分解、組み立てができることを特徴とした自動二輪車用サスペンション分解、組み立て工具
【発明の詳細な説明】
【発明の詳細な説明】
この発明は、ボルトを締め込むことによりサスペンションの内部部品を押さえたまま維持し、容易に分解、組み立てができることを特徴とした自動二輪車用サスペション分解、組み立て工具に関するものである。
従来のサスペンション分解、組み立て工具は、図３の内部部品支持凹部（４）で、図１の内部部品（８）を支持し、サスペンション本体（９）を地面に置き、図４のハンドル（１１）を両手で押し下げ、押さえたまま分解、組み立てを行わなければならず、１人で分解、組み立てをするのが、困難で、不正確なものであった。
サスペンションの内部部品はスプリングの反力により押し上げられているので、押し下げ続けるのはそれなりの力と持久力が必要であった。
本発明はその欠点を除くためになされたもので、以下それを説明する。
（イ）サスペンション本体下側を押さえ棒（７）の上に乗せる。
（ロ）両側の内部部品支持ボルト（３）の幅（図３Ｂ−Ｂ）を調整しサスペンション内部部品（８）を内部部品支持凹部（４）で両側をひっかける。
（ハ）図４の締め付けボルト（１）を締め込むとすべり軸側ナット（１０）に締め付けボルト（１）が入り込み、中空軸側の内部部品支持凹部（５）と押さえ棒（７）の間が狭まりサスペンション内部部品を押さえ込んだまま維持できる。
（ニ）サスペンション内部部品を押さえたまま分解、組み立てができる。
従来の図４工具のように押さえ続けながら分解、組み立てするのに比べ、本発明は内部部品を押さえたまま維持でき、分解、組み立てが容易に正確になり、従来の問題を解決した工具である。
なお座金（２）の部分には
（Ａ）潤滑油をぬる
（Ｂ）ベアリングを入れる
などして締め付けボルト（１）の締め込みをスムーズにすることができる。
また、締め付けボルト（１）の長さ（図３Ａ−Ａ）を１５ｍｍ以上、３５ｍｍ以下とすることで、締め込み作業の際、工具が安定し、締め付けボルト（１）の締め込みをスムーズにすることができる。
【図面の簡単な説明】
【図１】      本発明の斜視図
【図２】      本発明の使用斜視図
【図３】      本発明の正面図
【図４】      従来の工具の正面図
【符号の説明】
１は締め付けボルト            ２は座金      ３は内部部品支持ボルト
４は内部部品支持凹部          ５は中空軸    ６はすべり軸    ７は押え棒
８はサスペンション内部部品    ９はサスペンション本体
１０はすべり軸側ナット        １１はハンドル
【図１】
2005186916.tif 000003
【図２】
2005186916.tif 000004
【図３】
2005186916.tif 000005
【図４】
2005186916.tif 000006
(57)【要約】【課題】  金属アレルギーを防ぐことができ、かつ比較的早く温かみを感じることができる即効性のある感温シートを得ること。【解決手段】  肌に近い部分にメッシュ状物を設け、その外側に片面又は両面を金属でスパッタリング加工した繊維状シートを設けて、スパッタリング加工が片面の場合は前記メッシュ状物側にスパッタリング面が接するようにした感温シート。【選択図】    なし【特許請求の範囲】
【請求項１】
肌に近い部分にメッシュ状物を設け、その外側に片面又は両面を金属でスパッタリング加工した繊維状シートを設けて、スパッタリング加工が片面の場合は前記メッシュ状物側にスパッタリング面が接するようにした感温シート。
【請求項２】
メッシュ状物は、間隙率が１〜８０％である請求項1項の感温シート。
【請求項３】
請求項１または２記載の感温シートを使用して得た、布団、手袋、靴下、足袋、衣服、シュラフ、スリッパ、耳当て、腹巻、または、こたつの掛けまたは敷き布団。
【発明の詳細な説明】
【技術分野】
【０００１】
本発明は、即効性のある感温シートに関する。
【背景技術】
【０００２】
金属のスパッタリング加工をした繊維状シートを感温シートとして使用すること、さらにスパッタリング加工した繊維状シートに布団生地を重ねて使用することは知られている（特許文献１）
【特許文献１】特開２００２−３３９２４４号公報（特許請求の範囲）
【発明の開示】
【発明が解決しようとする課題】
【０００３】
しかしながら、金属のスパッタリング加工をした繊維状シートを、そのまま肌に接して使用すると、金属アレルギーを引起こす可能性があるし、さらに、スパッタリング加工した繊維状シートに布団生地を重ねて使用すると、布団生地の間隙率はほぼ0％であるため、その布団生地がまず人体の熱を吸収して温められ、更にその温められた布団生地から出た遠赤外線が金属のスパッタリング面で反射されて保温効果が出てくるため、皮膚が温かみを感じるまでには時間がかかる。
【課題を解決するための手段】
【０００４】
上記課題は、肌に近い部分にメッシュ状物を設け、その外側に片面又は両面を金属でスパッタリング加工した繊維状シートを設けて、スパッタリング加工が片面の場合は前記メッシュ状物側にスパッタリング面が接するようにした感温シートを提供することによって解決される。
【発明の効果】
【０００５】
本発明によれば、メッシュ状物を用いることにより、直接肌が金属のスパッタリング面に接しないため金属アレルギーを防ぐことができ、また皮膚から出た遠赤外線はメッシュの空隙部分を通って金属スパッタリング面で反射し、さらに反射した遠赤外線はメッシュの空隙部を通過して皮膚に到達するため、比較的早く温かみを感じることができる即効性のある感温シートを得ることができる。
【発明を実施するための最良の形態】
【０００６】
本発明において使用するメッシュ状物は、間隙率が1％以上であることが好適であり、さらに好適には１０％以上、最適には１５％以上である。また、上限については間隙率が８０％以下であることが好適であり、さらに好適には７０％以下、最適には６０％以下である。ここで、間隙率は、（株）キーエンス製ＶＨ５０００画像処理装置で測定される値である。
メッシュ状物としては、多数の孔などの間隙を有する、編物、織布、網状物または不織布が挙げられ、間隙の形は、円形、楕円形、矩形、三角形などいずれでもよいが、間隙の密度は均一であることが好適である。メッシュ状物の素材としては、ポリエステル、ナイロン、アクリル、ポリエチレン、ポリプロピレン、ビニロン、綿、ウール、またはこれらの混紡糸などが挙げられる。
【０００７】
スタッパリング加工される繊維状シートとしては、織布、編物、不織布などが挙げられ、素材としては、ポリエステル、ナイロン、アクリル、ポリエチレン、ポリプロピレン、ビニロン、綿、ウール、またはこれらの混紡糸などが挙げられる。
【０００８】
これらの繊維状シートにスパッタリングする方法としては、所望の金属を使用し、アルゴンガスなどを使用する通常のスパッタリング方法が挙げられる。本発明においては、繊維状シートの片面または両面を上記方法によりスパッタリング加工する。スパッタリングに使用される金属としては、ステンレス、アルミニウム、チタン、銀、銅、ニッケル又はこれらの金属の合金が挙げられるが、ステンレスが好適である。
【０００９】
メッシュ状物に、片面又は両面を金属でスパッタリング加工した繊維状シートを重ね、スパッタリング加工が片面の場合はメッシュ状物側にスパッタリング面が接するように重ね、縫い合わせることにより感温シートを得ることができる。このようにして得られた感温シートは、メッシュ状物が、人間または動物の肌に近い部分に触れるように使用される。ここで肌に近い部分とは、肌に直接あるいは衣服を介して接する部分を意味する。
次に実施例により本発明をさらに説明する。
【実施例１】
【００１０】
図１は本発明の感温シートの断面図、図２はその平面図である。
図１〜２に示すとおり、径０．８ｍｍの円形状の間隙４を有する間隙率３０％のメッシュ状のポリエステル編物生地３、その外側に片面をステンレス２でスパッタリング加工したポリエステル織物１を、編物生地３とスパッタリング面２が接するように設け、感温シートを得た。次に、このシートの外側（メッシュ状のポリエステル編物生地３の反対側）にポリエステル布団綿およびポリエステル布団生地を設け、これらを縫い合わせて、掛け布団を作った。
【００１１】
比較例１
実施例１において、金属のスパッタリングをしない以外は、実施例１と同様にして、掛け布団を作った。
比較例２
実施例１において、間隙率３０％のメッシュ状のポリエステル編物生地３の代わりに、間隙率０％のポリエステル織物生地３を使用した以外は、実施例１と同様にして、掛け布団を作った。
実施例１および比較例１〜２の布団を比較したところ、実施例１の布団は、比較例１〜２の布団に比べ、早く温かみを感じることができた。
【実施例２】
【００１２】
実施例1および比較例１〜２において、最外層部の布団生地を合成皮革（内側に発泡ウレタンフオームを有するもの）に代えた以外は、実施例1と同様の構成で手袋を作成した。その結果、実施例２の布団は、比較例３〜４の手袋に比べ、早く温かみを感じることができた。
【産業上の利用可能性】
【００１３】
本発明の感温シートは、人体から放出される赤外線を効率よく反射して、早く温かみを感じることができることから、この感温シートを使用して、布団、手袋、靴下、足袋、衣服、シュラフ、スリッパ、耳当て、腹巻またはこたつの掛けまたは敷き布団など、さらには動物の保温具とすることができる。本発明の感温シートをこれらの用途に使用する場合は、最外層にそれぞれの用途に適する素材を、必要に応じ使用することができる。
【図面の簡単な説明】
【００１４】
【図１】本発明の感温シートの断面図である。
【図２】本発明の感温シートの平面図である。
【符号の説明】
【００１５】
１  ポリエステル織物
２  スパッタリング面（ステンレス面）
３  メッシュ状のポリエステル編物生地
４  間隙
【図１】
2005186380.tif 000002
【図２】
2005186380.tif 000003
(57)【要約】【課題】  表面板交換の際の当該表面板と基板との剥離作業を不要にし、施工性に優れ、運搬が極めて容易になり作業時間及び作業者の労力を削減できる黒板又は掲示板を提供する。【解決手段】  可撓性を有する薄肉のスチール板又はホーロー板製の黒板表面板１の長辺方向に、縦に並べて複数枚の細い長尺板材２を幅方向に並べて貼着する。長尺板材３同士の隣接する両辺端面２ａを傾斜面状（すなわち、断面を鳩尾状）に形成して略三角状の僅かな隙間を設け、巻捲及び展開可能に構成する。【選択図】  図１
2005186564.tif 000002
【特許請求の範囲】
【請求項１】
可撓性を有する黒板又掲示板表面板に基板となる複数枚の板材を幅方向に並べて取付け、巻捲及び展開可能にしてなることを特徴とする黒板又は掲示板。
【発明の詳細な説明】
【技術分野】
【０００１】
本発明は、黒板や掲示板に関し、とくに基板とこれらの表面板を一体化すると共に、交換や運搬が容易な黒板に関するものである。
【背景技術】
【０００２】
従来より使用されている黒板や掲示板（以下、単に黒板と称す）、一般に、合板等の木質基板の表面に鋼鉄製の黒板表面板を接着剤でもって貼着して形成されている。このような黒板では、黒板表面板が経年劣化して使用不能になると、表面板のみの交換が非常に困難で、多くの場合、分別不可能な黒板表面板と木質基板とを共に廃棄していた。そこで、黒板の木質基板の分離再使用を可能にするために、黒板表面板のみを基板から取り外し可能に構成したものが提案されている。例えば、マグネット部が設けられた中間部材を木質基板の表面に張り付け、マグネット部の磁着力により基板の表面に黒板表面板を着脱可能に貼着するものが提案されている（例えば、特許文献１、特許文献２参照。）。
【０００３】
【特許文献１】特開平１１−５９０６８号公報（第２頁−第３頁、第２図）
【特許文献２】特許第３０６２１３１号公報（第２頁−第３頁、第３図）
【発明の開示】
【発明が解決しようとする課題】
【０００４】
しかしながら、上記のようなマグネット交換方式の黒板は、マグネット部が高価で製品コストが嵩むばかりか、とくに大型の黒板の場合、設置現場への中間部材等の資材の搬入や施工に手間がかかる。また、マグネット部から発生する磁気により、黒板周辺のパソコンや磁気メディア等の磁気製品に障害を及ぼすおそれがある。
【課題を解決するための手段】
【０００５】
そこで本発明の黒板又は掲示板は、可撓性を有する表面板に基板となる複数枚の板材を幅方向に並べて取付け、巻捲及び展開可能にしてなることを特徴とする。
【発明の効果】
【０００６】
本発明によれば、黒板表面板交換の際の当該表面板と基板との剥離作業が不要になるばかりでなく、施工性に優れ、運搬が極めて容易になり作業時間及び作業者の労力を削減できる。とくに大型の黒板を施工する場合に顕著な効果がある。また、黒板周辺の磁気製品に悪影響を与えることがない、さらに、基板となる木質部材に間伐材等を使用することで、経済的に製造でき、且つ廃棄物処理問題解決の一助ともなり得る。
【発明を実施するための最良の形態】
【０００７】
次に、本発明の実施の形態を図面に示す実施例に基づいて説明する。
図１は本発明に係る黒板の一部を示す斜視図、図２は本発明に係る黒板の施工状態を模式的に示す平面図、図３は本発明に係る黒板を示す縦断面図である。
【実施例】
【０００８】
図１及び図２に示すように、可撓性を有する薄肉のスチール板又はホーロー板製の黒板表面板１の長辺方向に、縦に並べて複数枚の細い長尺板材２を幅方向に並べて貼着する。ここで、この長尺板材３同士の隣接する両辺端面２ａは傾斜面状（すなわち、断面を鳩尾状）に形成して略三角状の僅かな隙間Ｄができるように構成され、長尺板材２をシート１側に屈曲させて、黒板表面板１をロール状に巻き取ることができるようにされている。そして、長尺板材３の鳩尾状断面の長辺２ｂ側を黒板表面板１に貼付け、隣接する長尺板材２を突き合わせて配置することで、展開した際に黒板表面板１が平坦面で支持されることになり、凹凸のない良好な筆記面を形成することができる。さらに、長尺板材２間での切断が容易で施工する長さに応じて簡単に切り分けることができる。これは長尺板材３をリサイクルする際にも有効となる。
【０００９】
すなわち、図２に示すように、黒板を施工する際は、ロール状に捲巻されている黒板表面板１を伸展して、これを基板側ユニットの桟木３上に展開する。そして、黒板表面板１を桟木３上に取付けた後、図３に示すように、黒板の上縁部及び左右両縁部に沿ってアルミ製縁枠４を取付け、桟木３を壁面Ｗに固定している取付金具５を利用して黒板の下縁部に沿ってアルミ製の粉受け６を取り付けることによって黒板の設置が完了する。
【００１０】
そして、黒板が経年劣化し、当該表面板１の交換が必要になったときは、各縁枠４及び粉受け６を取り外した後、古い表面板１を巻き取りながら引き剥がす。この場合、表面板１は桟木３から無負荷の状態で剥離されることになり、交換作業が非常に簡単容易で、その作業コストを著しく削減でる。すなわち、黒板表面板１をロール状に捲巻すれば、現場からの搬出及び搬入が極めて楽になり、また、表面板１を展開するだけで簡便に施工することができる。このことは、大型の黒板を施工する際にとくに有効であり、部材を分割することなく安定して取付けることができる。
【００１１】
また、新しい表面板１を貼着するために接着剤等を必要としない上、従来使用されていた木製の基板を廃棄する必要もないので、材料、資源の節約及び産業廃棄物の削減を図ることができる。すなわち、黒板表面板１をロール状に捲巻すれば、表面板１の現場からの搬出及び搬入が楽になり、また、表面板１を展開するだけで簡便に施工することができる。
【００１２】
尚、本発明の要旨は、可撓性を有する黒板表面板に基板が折曲可能となるように分割して取り付け、巻捲及び展開可能にした点にあり、板材の材質及び形状及び設置間隔は任意であり、種々、応用変形された構成が採用できることは言うまでもないが、板材として間伐材等の廃棄木材を使用することで、経済的に製造でき、且つ廃棄物処理問題解決の一助ともなり得る。
【産業上の利用可能性】
【００１３】
本発明に係る黒板は、主に、学校の教室、研修室、会議室等の壁に直接又はブラケットなどを介して設置されるが、移動式の黒板にも適用可能である。黒板の基板を構成する複数枚の板材は主に間伐材からなる。黒板表面板の材質は、一般に可撓性を有する薄肉のスチール板又はホーロー板である。黒板表面板の色は特に限定されず、黒色、緑色、白色のいずれでもよい。また、黒板に限らずビニルクロスを貼付して作成される掲示板等にも応用できることは言うまでもない、
【図面の簡単な説明】
【００１４】
【図１】本発明に係る黒板の一部を示す斜視図である。
【図２】本発明に係る黒板の施工状態を模式的に示す平面図である。
【図３】本発明に係る黒板を示す縦断面図である。
【符号の説明】
【００１５】
１    黒板表面板
２    長尺板材
２ａ  長尺板材の両端面
２ｂ  鳩尾状断面の長辺側
３    桟木
４    アルミ製縁枠
５    桟木の取付金具
６    粉受け
Ｗ    壁面
【図１】
2005186564.tif 000003
【図２】
2005186564.tif 000004
【図３】
2005186564.tif 000005
(57)【要約】【課題】従来の鏡の形状は、遠近の調節が難しくなった年代にとって細部を見るのは困難であった。【解決手段】鏡に両凸レンズを重ねることにより、細部を鮮明に見ることが可能となる。【選択図】図１
2005234513.tif 000002
【特許請求の範囲】
【請求項１】
鏡に両凸レンズを組み合わせたことを特徴とする鏡。
【請求項２】
前記鏡に、両凸レンズを重ねることを特徴とする請求項１記載の鏡。
【請求項３】
前記鏡と両凸レンズを、それぞれ独立した状態でも使用できる鏡。
【発明の詳細な説明】
【技術分野】
【０００１】  この発明は、化粧などに用いる鏡の形状に関する。
【背景技術】
【０００２】  従来の化粧等に用いる鏡の形状に、図１に示すように両凸レンズの本体１の下部に鏡を重ねたものである。
【発明の開示】
【発明が解決しようとする課題】
【０００３】  今日の技術による拡大鏡は、被写体が大きく映し出されるので普通の鏡よりは見やすいが、遠近の調節が難しくなった年代にとって細部を見るのは困難である。
そこでこの発明は、細部がよく見える老眼用鏡を提供することを課題とする。
【課題を解決するための手段】
【０００４】  以上の課題を解決するために、第一発明は、鏡に両凸レンズを組み合わせたことを特徴とする老眼用鏡である。
また、第二発明は、鏡に両凸レンズを重ねることを特長とする老眼用鏡である。
また、第三発明は、両凸レンズと鏡を分離し、物を拡大して見ることと自身を見ることの二通りが可能になる鏡。
【発明の効果】
【０００５】  第一発明、または第二発明によれば、鏡に両凸レンズを重ねることにより自身の細部がよく見える。
【発明を実施するための最良の形態】
【０００６】  この発明の一実施形態を、図１に示す。
この本体を１とし、拡大鏡と通常の鏡を表裏とした鏡（２）を重ね、一体化する。【０００７】「実施形態の効果」
この実施形態によれば、両凸レンズを重ねることにより通常の拡大鏡で見るより、細部を鮮明に見ることができる。【０００８】「他の実施形態」
図１の実施形態では、両凸レンズと鏡を重ねた部分を可動式にすることにより、拡大鏡（ルーペ）と鏡の二通りの利用が可能となる。
【図面の簡単な説明】
【０００９】
【図１】この発明の一実施形態を示す斜視図である。
【符号の説明】
【００１０】    １  両凸レンズ      ２  鏡      ３  接続部
【図１】
2005234513.tif 000003
(57)【要約】【課題】  従来の管楽器、木管楽器の開閉弁のパッドは、フエルト下に台紙を付けてその上からスキン「動物の内臓、腸の皮」を表面に貼る。演奏中に唾気で、フエルトが濡れて演奏にも影響がでていた。又    スキンが破れると音が出なくなるとフエルトが硬くなるので、耐久性が無く、使用度「演奏する事」が増すとパッドの交換が短期間でしなければならない。常に微調整を必要としていた。【解決手段】  管楽器、木管楽器の開閉弁のパッドをフエルトのかわりに特殊加工したシリコンパッドに変えることで、音孔に特殊加工シリコンパッドが密着する事で音色も色々な幅をもたすことで、音楽性の表現力が豊かで楽器の音量が増し初心者は楽に音がでる、アーティストは音楽の表現力が増すことで演奏の幅が拡がる。又  特殊シリコンパッドは風化する事が少ないので、長期的に使える事でパッドが半永久的に使える事が出来る。【選択図】  図５
2005234511.tif 000002
【特許請求の範囲】
【請求項１】
管楽器、木楽器、金管楽器の管体に設けられ  音孔から吹き出る空気の流れによって音を発生させるように構成された管楽器、木楽器、金管楽器の音孔開閉弁において音色、音の大きさ小ささを変える事が出来る。
核音孔の開閉弁の中に入るパッドの特殊な加工したシリコンを設けたことを特徴とする管楽器、木楽器、金管楽器の開閉弁の中に特殊シリコンパッド使用する事
【発明の詳細な説明】
【発明の詳細な説明】
【産業上の利用分野】
本発明は、フルート、クラリネット、オーボエ、サックスホーンその他  木菅金管楽器の開閉弁のパッドに関し、特に管楽器の内径の円筒、円錐内に吹き込んだ空気の流れを完璧な閉弁する事により、音色  音量が拡大に増し音のでやすさ及び立ち上がり等を改良出来るようにしたパッドに関する。
【背景技術】フルート、クラリネットその他の木金管楽器の開閉弁のパッドは、フエルトと台紙を糊付け、スキン「動物の内臓、腸の皮」を表面に貼る。
スキン破れるか又はフエルトが硬くなると、開閉弁の閉弁性がなくなり楽器の機能が出来なくなる。
それぞれ独特の構成及び音の発生原理を有しそれは楽器が確立されてから現在に至るで、長い間ほとんど変わっていない。
周知のように、このような管楽器の開閉弁内パッドでは菅体部から立ち上がった音孔を設け、唄口の孔から吹き込んだ空気の流れによって、管体の中を閉じ込められた気柱を振動させて音を発生させるようになっている。
また、この空気の流れをできるだけ円滑にして滑らかなで、開閉弁の閉弁が完璧な物が良い管楽器とされている観点から、管楽器の開閉弁は蜜閉生を常に要求されている。
【発明が解決しようとする課題】
しかしながら、従来の管楽器は、一般的に、唄口の孔から吹き込んだ空気の流量及び微妙な開閉が確保できないために、音が出しにくく、音量が不足しがちでありまた音の立ち上がりも良くない等の欠点がありその結果、初心者は容易に演奏ができないいとともに、相当の訓練を積んだ演奏者でも、音の表現や反応の速さが制約される為に高い音楽性の演奏を行うのが困難であった。
例えば、フルートの場合には、図１に示すように、管体に１６個の音孔があり唄口  図１−１から吹き出した空気が音孔の表面を開閉弁パッドが図１の２−３−４−５と開たり閉めたりする事で音程が変わっていき、管体の長さ方向に進ませて音を発生させるようになっている。
このため  唄口  図１−１から図１−２−３−４−５  通過する時に、空気の図１の２−３−４−５の流れの方向が横方向から長さ方向に変化する事により、音孔の内壁の近くに空気の流れのはく離現象が生じ、それによって開閉弁パッド気密性が要求される。
その結果、音の有効に発生させる空気の流量及び速度の時に音孔の開閉弁が低下してしまい、フルートの場合、低音域の音をだしにくいという問題がある。
この問題を解決するためのフルート及び木・金管楽器のパッド構造として、図２及び図３示すように開閉弁パッドの素材が台紙とフエルトを糊付けスキン「動物の内臓、腸の皮」を表面に貼る。
図３  に示すフルートの鍵部分が、音孔に開閉パッドが当って閉まっている所で音孔が開閉の変化より音程が変わるが、従来のフエルトを使った開閉パッドは耐久性が悪く閉まる時の密閉性も良くない事で、初心者、演奏者も音量を求めるのが困難な素材と明確に感じとられた。
本発明はこのような問題点を解決するために成された物であり，管楽器の音が出やすさ音量及び立ち上がりと、開閉弁パッド耐久性等を改良し、それにより初心者には演奏が容易で、演奏家はより高い音楽性の演奏を行なうことが出来るようになった。
又  今発明は開閉弁内特殊加工シリコンパッドは、半永久的に使える事が最も特徴管楽器の開閉弁内特殊加工シリコンパッドを提供する事を目的とする。
【課題を解決するための手段】
本発明は、上記目的を達成する為、管楽器の管体設けられ、音孔から吹き出る空気の流れによって音が発生させるように構成された管楽器も開閉弁内パッドにおいて、核開閉弁内パッドの音孔を閉める、開閉弁の中に金属の枠内に特殊加工シリコンパッド部を設けたものである。
【作用】
図４  に示す開閉弁特殊加工シリコンパッドは、外形を金属の枠に特殊加工シリコンパッドを加工した金属枠に入れて、固定して管楽器の唄口から空気が通る際に音孔の閉めた時に空気の流れのが、はく離現象が生ずるので、開閉弁内特殊加工シリコンパッドが格段の密閉性で、その結果、初心者は容易に演奏ができるとともに、相当の訓練を積んだ演奏者が、音の表現や反応と音量ますことを、発見できた。
【発明の効果】
以上説明は、本発明の管楽器の開閉弁内特殊シリコンパッドによれば、管楽器の音の出やすさ、音量及び立ち上がり等を改良し、それにより初心者が容易に演奏でき演奏家はより高い音楽性の演奏を行なう事が出来ると言う効果を奏する。
【図面の簡単な説明】
【図１】は本発明を適用するフルートの平面図
【図２】は本発明の従来使っているフエルト、台紙、スキンの断面図
【図３】はフルートの鍵の中に開閉弁パッドが入った断面図
【図４】は本発明の開閉弁特殊シリコンパッドの断面図
【図５】は本発明の鍵の中に開閉弁特殊シリコンのパッドが入った断面図
【図１】
2005234511.tif 000003
【図２】
2005234511.tif 000004
【図３】
2005234511.tif 000005
【図４】
2005234511.tif 000006
【図５】
2005234511.tif 000007
(57)【要約】【課題】  特に低温保存する酒、ワイン、焼酎、ビール、ジャム等や結露し易い場所に置く商品（冷蔵庫に出し入れする調味料等）に対して有効で、商品ラベルにシワが伸びて商品名がゆがむこともなく長期間保存できると共に、特にスーパー等の店内で保管する場合、お客様にお渡しする時も新品の状態でお買い上げ頂け、お客様に安心をお届けでき、焼却しても安全で、リサイクルに出す場合も、容器（ビン等）とラベルを剥して（特に弱粘着剤使用のもの）分別できるため、環境にもやさしく、また、屋外のポスター等でも使用できる耐水性タック紙を提供する。【解決手段】  耐水性を有する耐水紙の裏面に粘着層を設け、粘着層に剥離可能なセパレーターを設けてなることを特徴とする。【選択図】  図１
2005234522.tif 000002
【特許請求の範囲】
【請求項１】
耐水性を有する耐水紙の裏面に粘着層を設け、粘着層に剥離可能なセパレーターを設けてなることを特徴とする耐水性タック紙。
【請求項２】
粘着層が、弱粘着剤であることを特徴とする請求項１記載の耐水性タック紙。
【請求項３】
粘着層が、強粘着剤であることを特徴とする請求項１記載の耐水性タック紙。
【請求項４】
耐水紙の表面に蓄光剤を施してなることを特徴とする請求項１、２又は３記載の耐水性タック紙。
【発明の詳細な説明】
【技術分野】
【０００１】  本発明は、低温保存する商品のラベルや結露し易い場所に置く商品のラベル等に有効な耐水性タック紙に関するものである。
【背景技術】
【０００２】  従来の技術としては、合成紙に粘着剤を設けたものがある。
しかしながら、合成紙は周知のとおり、樹脂のみで製造されたものであり、コスト的にも高く、箔押しができず、専用インクでないと印刷できないという欠点がある。
また、焼却するとダイオキシン等の問題もあり、かつリサイクルも出来ず、社会的な問題も有するものである。
さらに、屋外の凹凸面で使用した場合、樹脂製であるため馴染まず、すぐ剥がれてしまう。【０００３】  さらに、従来技術として、配送伝票は、基材の裏面には粘着剤を設けるとともに、この粘着剤を剥離紙で被覆し、基材の表面には耐水紙からなる配達票と受領票を、その配送情報記入面が表出するように疑似接着層を介して剥離可能に接着し、配達票と受領票の配送情報記入面には耐水性を有するインクジェットインク受容層を設けてなるものが開示されている。（特許文献１参照）【０００４】  配達票と受領票とを耐水紙で加工したもので、使用目的や構造が異なるものである。
【特許文献１】  特開２００３−２８５５７５号  公報
【発明の開示】
【発明が解決しようとする課題】
【０００５】  本発明は、上記の問題点に鑑みなされたもので、その目的は、特に低温保存する酒、ワイン、焼酎、ビール、ジャム等や結露し易い場所に置く商品（冷蔵庫に出し入れする調味料等）に対して有効で、商品ラベルにシワが伸びて商品名がゆがむこともなく長期間保存できると共に、特にスーパー等の店内で保管する場合、お客様にお渡しする時も新品の状態でお買い上げ頂け、お客様に安心をお届けでき、焼却しても安全で、リサイクルに出す場合も、容器（ビン等）とラベルを剥して（特に弱粘着剤使用のもの）分別できるため、環境にもやさしく、また、屋外のポスター等でも使用できる耐水性タック紙を提供するものである。
【課題を解決するための手段】
【０００６】  本発明は、上記目的を達成するために、耐水性を有する耐水紙の裏面に粘着層を設け、粘着層に剥離可能なセパレーターを設けてなること。また、粘着層が、弱粘着剤であること。又は、粘着層が、強粘着剤であること。さらに、耐水紙の表面に蓄光剤を施してなることを特徴とする。
【発明の効果】
【０００７】１）、耐水紙を使用することにより、シワになることがなく、低温で保存する商品のラベルや結露し易い場所に置く商品のラベルに有効で、見栄えがよい。
２）、一般に使用されるインキや普通紙（コート紙、アート紙等）と同様に箔押可能であり、色々な企画商品のラベルに使用できる。
３）、弱粘着剤を使用することにより、リサイクルする場合、耐水性タック紙を剥して分別できるため、環境にやさしい。
４）、強粘着剤を使用することにより、長期に保存する商品や長期に保管する容器等のラベルに有効である。
５）、耐水紙の表面に蓄光剤を施す（コーティング・スクリーン印刷等）ことにより、屋外のポスター等として凹凸面にも貼り付けることが雨にも剥がれ落ちることなく長期に使用できる。（特に強粘着剤使用時）
６）、合成紙に比べ、安価に加工できる。
【発明を実施するための最良の形態】
【実施例１】
【０００８】  耐水性タック紙１は、耐水紙２（耐水化剤として、例えばスチレン−ブタジェン系の共重合物を使用）の裏面に、粘着力の弱い例えばアクリル系エマルジョンタイプの弱粘着剤３を設けると共に、剥離可能なセパレーター４を設けてなるものである。【０００９】  上記耐水性タック紙１は、酒、焼酎やビール等、低温保存する比較的賞味期限が短い商品のラベルに有効であり、例えば夏場、冷したビールをお客様に出した時、ラベルに水滴が付いていても、印字や模様に変化なく、シワ等も発生せず、貼った時の状態で提供でき、見栄えよく、美味しく飲用することができる。【００１０】  また、飲んだ後の空ビンは、ラベルが剥し易く、分別を容易にし、空ビンのリサイクルやラベルを古紙としてリサイクルできるものである。
【実施例２】
【００１１】  つぎに、他の実施例を述べる。
耐水性タック紙２１は、上記と同様な耐水紙２２の裏面に、粘着力の強い例えばアクリル系溶剤タイプの強粘着剤２３を設けると共に、同様にセパレーター２４を設けてなるものである。【００１２】  この耐水性タック紙２１は、例えば長期に熟成させる必要のある高級ワイン等のラベルとして有効であり、長期間使用しても変形（湿度による）のないものである。
また、プレミアム商品のラベル等にも有効である。
【実施例３】
【００１３】  さらに、別の耐水性タック紙３１として、耐水紙３２の表面周囲に蓄光剤５をコーティングあるいはスクリーン印刷すると共に、中央に文字や絵・地図等の情報６を印刷する。
例えば、災害時の避難ポスター等を作成し、マンション等の壁面（蛍光燈の光が当たる場所）に貼り付け、災害等において停電になった時点で蓄光剤５が発光し、情報６を読み取ることができ、適切な対応（避難する）ができるものである。【００１４】  なお、特に冷酒のラベルに使用することにより、氷水の中に冷酒のビンを入れてもラベルがシワにならないため、見栄えよく飲むことができるものである。
また、上記各実施例の耐水性タック紙の用途は商品ラベルやポスター等に限定されるものではなく、様々な分野に使用できるものであり、特に限定するものではない。
【図面の簡単な説明】
【００１５】
【図１】  本発明の第１実施形態を示す耐水性タック紙の正面図。
【図２】  本発明の第２実施形態を示す耐水性タック紙の正面図。
【図３】  本発明の第３実施形態を示す耐水性タック紙（ポスター）の正面図。
【符号の説明】
【００１６】１  耐水性タック紙
２  耐水紙
３  弱粘着剤
４  セパレーター
５  蓄光剤
【図１】
2005234522.tif 000003
【図２】
2005234522.tif 000004
【図３】
2005234522.tif 000005
(57)【要約】【課題】  広告媒体として訴求力に優れるとともに、袋状に加工する際に接着等の必要のない割り箸の包装体からなる広告媒体を提供する。【解決手段】  割り箸の先端部が収容される箸袋の内側に、前記割り箸の先端部に形成された割り筋に挟持されることになる挟持部を設け、前記袋部の外側に広告面を設け、前記割り箸の割り筋に前記箸袋の挟持部を挟持させ、前記割り箸の先端部を前記箸袋に収容した状態において、前記割り箸の幅広面に対して前記広告面が立設されるようにしたことを特徴とする。【選択図】  図１
2005234432.tif 000002
【特許請求の範囲】
【請求項１】
割り箸の先端部が収容される箸袋の内側に、前記割り箸の先端部に形成された割り筋に挟持されることになる挟持部を設け、前記袋部の外側に広告面を設け、前記割り箸の割り筋に前記箸袋の挟持部を挟持させ、前記割り箸の先端部を前記箸袋に収容した状態において、前記割り箸の幅広面に対して前記広告面が立設されるようにしたことを特徴とする広告媒体。
【請求項２】
長方形状の紙片によって形成され、前記紙片の一辺側の対向する各隅部を内側に折り返すとともに、各折り返し片同士を当接するように折り重ねて袋状に形成し、前記当接された折り返し片を前記挟持部となるようにしたことを特徴とする請求項１に記載の広告媒体。
【発明の詳細な説明】
【技術分野】
【０００１】
本発明は、割り箸の包装体として使用される広告媒体に関するものである。
【背景技術】
【０００２】
従来、割り箸の包装体としては、例えば、割り箸全体を収納するようにして袋状に加工したものや、割り箸を挿入するための開口を備えるように加工したもの、或いは、１枚の紙片を袋状に折り畳んだもの等があり、これら包装体には、飲食物を提供する者の商号、住所や電話番号等が印刷され、飲食物を提供する者の広告媒体として機能している。
上記した従来の割り箸の包装体は、テーブルの上に置くと前記した印字面は、テーブルの上面と平行になるため広告媒体として訴求力に欠けていた。また、包装体を破いて割り箸を取り出す必要があるタイプのものでは、包装体をきれいなまま保存しておこうという気すら起こさせなかったので、広告媒体として十分に機能していなかった。
【発明の開示】
【発明が解決しようとする課題】
【０００３】
そこで、本発明は、広告媒体として訴求力に優れるとともに、袋状に加工する際に接着等の必要のない割り箸の包装体からなる広告媒体を提供することを目的とする。
【課題を解決するための手段】
【０００４】
上記課題を解決するために、下記の通り解決手段を見出した。
即ち、本発明の広告媒体は、請求項１に記載の通り、割り箸の先端部が収容される箸袋の内側に、前記割り箸の先端部に形成された割り筋に挟持されることになる挟持部を設け、前記袋部の外側に広告面を設け、前記割り箸の割り筋に前記箸袋の挟持部を挟持させ、前記割り箸の先端部を前記箸袋に収容した状態において、前記割り箸の幅広面に対して前記広告面が立設されるようにしたことを特徴とする。
また、請求項２に記載の本発明は、請求項１に記載の広告媒体において、長方形状の紙片によって形成され、前記紙片の一辺側の対向する各隅部を内側に折り返すとともに、各折り返し片同士を当接するように折り重ねて袋状に形成し、前記当接された折り返し片を前記挟持部となるようにしたことを特徴とする。
【発明の効果】
【０００５】
本発明の広告媒体によれば、割り箸をテーブル等に置いた時に、広告面がテーブル面に対して確実に立設されることになり、高い広告効果が得られる。また、１枚の紙片から作るようにすれば、袋状に加工する際に接着等の必要がない。更に、割り箸を取り出した後は、１枚の紙片となるので、美観に優れる。
【発明を実施するための最良の形態】
【０００６】
次に、本発明の一実施の形態について説明する。
図１は、本発明の広告媒体の使用状態を示す斜視図であり、図中符号１で示される広告媒体は、袋部２と挟持部３とから構成されている。符号４で示されるものは、割り箸であり、先端部には箸として使用する際に、分割するための割り筋４ａが設けられている。
前記袋部２の外側には、広告面２ａが設けられており、広告主の会社名や連絡先等が記載されている。また、挟持部３は、袋部２の内側に設けられており、本実施の形態では、割り箸４の幅広面４ｂから広告面２ａが立設される方向となるように挟持部３が設けられている。
上記の構成により、本発明の広告媒体１は、割り箸４の幅広面４ｂに対して、広告面２ａが立設されることになり、テーブル等に載置した際、広告面２ａはテーブル上面に対して立設することになり、使用者の目を引くことになる。また、更に、割り箸４を割って食事している間に、広告媒体１の袋部２に割り箸４の先端部を収容することで、テーブル上面に対して広告面２ａが立設することが可能な箸置きとしても機能することになる。従って、少なくとも食事が終わるまでの間、広告媒体１は有効に広告機能を発揮し続けることになる。
【０００７】
次に、前記広告媒体２の作成方法について図２を用いて説明する。
図２（ａ）〜（ｃ）は、広告媒体２を一枚の紙片５から作成する場合の手順を示すものである。以下に、順を追って説明する。
まず、同図（ａ）に示されるように、紙片５には、折り重ねるために中心線上に折り筋Ｃが設けられている。また、紙片５の一辺側の対向する各隅部６，６を内側に折り返すための折れ筋Ａ，Ａが、中心線Ｃの一端側から他端側に向かってＶ字状に開拡するように設けられている。
上記紙片５は、同図（ｂ）に示されるように、まず、各隅部６，６を中心線Ｃの方向に、折れ筋Ａ，Ａで折り返して折り返し片７，７を形成する。次に、同図（ｃ）で示されるように、折り返し片７，７が互いに当接するように、紙片５を中心線Ｃで折り重ねることにより、同図（ａ）に示すように本実施の形態の広告媒体１を得る。
【０００８】
上記のように、折り返し片７，７同士を当接させることにより袋部２の内側に、袋部２と一体となるようにして挟持部３が形成されることとなる。そして、割り箸４の先端部を広告媒体１に収容する際、この挟持部３を割り筋４ａで挟持固定することにより、図１に示すように広告面２ａが割り箸４の幅広面４ｂに対して立設されることになる。
【０００９】
尚、上記実施の形態における割り箸の幅広面４ｂとは、割り箸４がテーブル等に通常載置される面をいうものである。また、広告面２ａについては、飲食物等を提供する主体に限られることなく、広く他の者の広告を印刷することもできる。
また、本実施の形態では、広告媒体１を１枚の紙片５から形成するようにしたが、複数の部材から構成するものであってもよい。
【図面の簡単な説明】
【００１０】
【図１】本発明の一実施の形態の広告媒体の使用状態を示す斜視図
【図２】（ａ）〜（ｃ）同作成手順を示す説明図
【符号の説明】
【００１１】
１    広告媒体
２    袋部
２ａ  広告面
３    挟持部
４    割り箸
４ａ  割り筋
４ｂ  幅広面
５    紙片
６    隅部
７    折り返し片
Ａ，Ｃ  折れ筋
【図１】
2005234432.tif 000003
【図２】
2005234432.tif 000004